(57)【要約】  【課題】  追い焚き配管の凍結状態を検知し、逆流防止装置からの無駄な湯水の流出を防止することを目的とする。  【解決手段】  給湯用熱交換器７を経由する給湯回路８と、追い焚き用熱交換器１８を経由する追い焚き回路１６と、給湯回路８の流量を検知する給湯用流量センサー２と、給湯回路８から分岐し注湯電磁弁２１、注湯用流量センサー２４、逆流防止装置２２、逆止弁２３を経由して給湯用熱交換器７で加熱された湯を追い焚き回路１６に供給する注湯回路３３と、制御手段３４とを備えた給湯風呂装置であって、制御手段３４は、注湯電磁弁２１が開状態のとき、給湯用流量センサー２と注湯用流量センサー２４の検知流量に基づいて注湯電磁弁２１の閉動作を行い、追い焚き回路１６への注湯動作を停止するようにしたものである。【選択図】  図１
2005076945.tif 000002
【特許請求の範囲】
【請求項１】
給湯用熱交換器を経由する給湯回路と、追い焚き用熱交換器を経由する追い焚き回路と、前記給湯回路の流量を検知する給湯用流量センサーと、前記給湯回路から分岐し注湯電磁弁、逆流防止装置、注湯用流量センサー、逆止弁を経由して前記給湯用熱交換器で加熱された湯を追い焚き回路に供給する注湯回路と、制御手段とを備えた給湯風呂装置であって、前記制御手段は、前記注湯電磁弁が開状態のとき、給湯用流量センサーと注湯用流量センサーの検知流量に基づいて前記注湯電磁弁の閉動作を行い、前記追い焚き回路への注湯動作を停止するようにした給湯風呂装置。
【請求項２】
前記制御手段は、前記注湯電磁弁が開状態のとき、前記給湯用流量センサーが所定流量以上を検知し、かつ前記注湯用流量センサーが所定流量以下を検知したとき、前記注湯電磁弁を閉じて前記追い焚き回路への注湯動作を停止するようにした請求項１記載の給湯風呂装置。
【請求項３】
制御手段は、注湯電磁弁が開状態のとき、給湯用流量センサーが所定流量以上を検知し、かつ注湯用流量センサーが所定流量以下を検知したとき、前記注湯電磁弁を閉じて追い焚き回路への注湯動作を停止するとともに、再度、給湯用流量センサーの検知流量を確認し、検知流量が所定流量以下の場合、以降の注湯電磁弁の開動作を停止させるようにした請求項１または２記載の給湯風呂装置。
【請求項４】
制御手段は、注湯電磁弁が開状態のとき、給湯用流量センサーが所定流量以上を検知し、かつ注湯用流量センサーが所定流量以下を検知したとき、前記注湯電磁弁を閉じて追い焚き回路への注湯動作を停止するとともに、再度、給湯用流量センサーの検知流量を確認し、検知流量が所定流量以下の場合、以降の注湯電磁弁の開動作を停止させ、同時に異常表示を行うようにした請求項１〜３のいずれか１項記載の給湯風呂装置。
【請求項５】
制御手段は、注湯電磁弁が開状態のとき、給湯用流量センサーと注湯用流量センサーの検知流量に基づいて前記注湯電磁弁の閉動作を行い、その後、前記給湯用流量センサーの検知電流に応じて前記注湯電磁弁の閉動作の確定を行うという一連の判定動作を所定回数行うようにした請求項１または２記載の給湯風呂装置。
【請求項６】
制御手段は、注湯電磁弁が開状態のとき、給湯用流量センサーと注湯用流量センサーの検知流量に基づいて前記注湯電磁弁の閉動作を行い、その後、前記給湯用流量センサーの検知電流に応じて前記注湯電磁弁の閉動作の確定を行うという一連の判定動作を所定回数行った結果、異常と判定した場合は、以降の注湯電磁弁の開動作を停止させるとともに、異常表示をするようにした請求項５記載の給湯風呂装置。
【請求項７】
制御手段は、注湯電磁弁が開状態のとき、給湯用流量センサーが所定流量以上を検知し、かつ注湯用流量センサーが所定流量以下を検知したとき、前記注湯電磁弁を閉じて追い焚き回路への注湯動作を停止するとともに、再度、給湯用流量センサーの検知流量を確認し、検知流量が所定流量以上の場合、前記給湯用流量センサーの検知流量が所定流量以下になるまで、前記注湯電磁弁の開動作を行わない待機モードとした請求項１または２記載の給湯風呂装置。
【請求項８】
待機モードにおいて、給湯用流量センサーの検知流量が所定流量以下になると、注湯電磁弁の開動作を開始するようにした請求項７記載の給湯風呂装置。
【発明の詳細な説明】
【技術分野】
【０００１】
本発明は、給湯用熱交換器で加熱された湯を追焚回路に給湯する注湯電磁弁を備えた給湯風呂装置に関するものである。
【背景技術】
【０００２】
従来この種の給湯風呂装置は、注湯用流量センサーは注湯電磁弁の上流側に設けられている（例えば、特許文献１参照）。
【０００３】
実質的には図３に示すような構成になっている。すなわち、給湯運転時には、給湯栓１を開くと給湯用流量センサー２が通水を検知した後、燃焼用ファン３が回転し、ガス元電磁弁４、ガス比例弁５が開き、バーナ６に着火し、給湯用熱交換器７で加熱される。
【０００４】
ここで、給湯用熱交換器７で加熱された湯は、給湯回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯接続口１２を経て給湯栓１より給湯される。
【０００５】
次に、追焚運転時には、循環ポンプ１３により浴槽１４の浴槽水１５は、追焚戻り通路１６を経て流水検知部１７にて循環を検知されると、燃焼用ファン３が回転し、ガス元電磁弁４、ガス比例弁５が開き、バーナ６に着火し、追焚き用熱交換器１８で加熱され追焚き往き通路１９から追焚配管２０を経て浴槽１４へ循環される。
【０００６】
次に、自動お湯はり運転時には、給湯用熱交換器７で加熱された湯は、注湯電磁弁２１が開き、逆流防止装置２２、逆止弁２３を経て追焚き戻り通路１６および追焚き往き通路１９から追焚配管２０を経て浴槽１４へ供給される。
【０００７】
ここで、お湯はりの流量は注湯電磁弁２１の上流側に設けられた注湯用流量センサー２４により検知される構成となっている。また、逆流防止装置２２から流出するお湯または水は、オーバーフロー接続口２５から機外へ排水される構成となっている。  
【特許文献１】特公平７−９４９２９号公報（第１図）
【発明の開示】
【発明が解決しようとする課題】
【０００８】
しかしながら従来の給湯風呂装置では、注湯用流量センサー２４は注湯電磁弁２１の上流側に設けられており、追い焚き配管２０への流れとオーバーフロー接続口２５への流れの判断ができないため、機器に接続されている追い焚き配管２０が凍結して通水できない場合には、自動お湯はり運転時に逆流防止装置２２から導かれたオーバーフロー接続口２５からお湯が機外へ流出し続けるという課題を有していた。
【０００９】
本発明は上記課題を解決するもので、注湯回路に設けた流量センサと給湯回路に設けた流量センサの検知流量に基づいて、追い焚き配管の凍結状態を判定し、凍結状態の場合は注湯動作を停止して逆流防止装置からの無駄な湯水の流出を防止することを目的としたものである。
【課題を解決するための手段】
【００１０】
上記目的を達成するため本発明の給湯風呂装置は、給湯回路と、追い焚き回路と、給湯回路の流量を検知する給湯用流量センサーと、給湯回路から分岐し注湯電磁弁、注湯用流量センサー、逆流防止装置、逆止弁を経由して追い焚き回路に注湯する注湯回路と、制御手段とを備え、前記制御手段は、前記注湯電磁弁が開状態のとき、給湯用流量センサーと注湯用流量センサーの検知流量に基づいて前記注湯電磁弁の閉動作を行い、前記追い焚き回路への注湯動作を停止するようにしたものである。
【００１１】
上記発明によれば、追い焚き回路への注湯動作において、給湯回路を流れる流量と注湯回路を流れる流量の差に基づいて、追い焚き回路に正常に注湯されているか否かを容易に判定することができ、追い焚き配管等の凍結時に起こる逆流防止装置からの無駄な湯水の流出を防止することができる。
【発明の効果】
【００１２】
以上のように本発明によれば、追い焚き回路への注湯動作において、給湯回路を流れる流量と注湯回路を流れる流量に基づいて、追い焚き回路に正常に注湯されているか否かを容易に判定することができ、追い焚き配管等の凍結時に起こる逆流防止装置からの無駄な湯水の流出を防止することができる。
【発明を実施するための最良の形態】
【００１３】
請求項１記載の発明は、給湯用熱交換器を経由する給湯回路と、追い焚き用熱交換器を経由する追い焚き回路と、前記給湯回路の流量を検知する給湯用流量センサーと、前記給湯回路から分岐し注湯電磁弁、注湯用流量センサー、逆流防止装置、逆止弁の順に経由して前記給湯用熱交換器で加熱された湯を追い焚き回路に供給する注湯回路と、制御手段とを備えた給湯風呂装置であって、前記制御手段は、前記注湯電磁弁が開状態のとき、給湯用流量センサーと注湯用流量センサーの検知流量に基づいて前記注湯電磁弁の閉動作を行い、前記追い焚き回路への注湯動作を停止するようにしたことを特徴とするものであり、追い焚き回路への注湯動作において、給湯回路を流れる流量と注湯回路を流れる流量の差に基づいて、追い焚き回路に正常に注湯されているか否かを容易に判定することができ、追い焚き配管等の凍結時に起こる逆流防止装置からの無駄な湯水の流出を防止することができる。
【００１４】
請求項２に記載の発明は、前記制御手段は、前記注湯電磁弁が開状態のとき、前記給湯用流量センサーが所定流量以上を検知し、かつ前記注湯用流量センサーが所定流量以下を検知したとき、前記注湯電磁弁を閉じて前記追い焚き回路への注湯動作を停止するようにしたことを特徴とするものであり、追い焚き配管の凍結の有無を判定して自動お湯はり運転を停止することが可能となる。
【００１５】
請求項３記載の発明は、制御手段は、注湯電磁弁が開状態のとき、給湯用流量センサーが所定流量以上を検知し、かつ注湯用流量センサーが所定流量以下を検知したとき、前記注湯電磁弁を閉じて追い焚き回路への注湯動作を停止するとともに、再度、給湯用流量センサーの検知流量を確認し、検知流量が所定流量以下の場合、以降の注湯電磁弁の開動作を停止させるようにしたことを特徴とするものであり、逆流防止装置からのお湯の流出を検知して自動お湯はり運転を停止するため、オーバーフロー接続口からお湯が機外へ流出し続けることを防止することが可能となる。
【００１６】
請求項４記載の発明は、制御手段は、注湯電磁弁が開状態のとき、給湯用流量センサーが所定流量以上を検知し、かつ注湯用流量センサーが所定流量以下を検知したとき、前記注湯電磁弁を閉じて追い焚き回路への注湯動作を停止するとともに、再度、給湯用流量センサーの検知流量を確認し、検知流量が所定流量以下の場合、以降の注湯電磁弁の開動作を停止させ、同時に異常表示を行うようにしたことを特徴とするものであり、逆流防止装置からのお湯の流出を検知して自動お湯はり運転を停止するため、オーバーフロー接続口からお湯が機外へ流出し続けることを防止して機器の使用者に異常の発生を通知することが可能となる。
【００１７】
請求項５記載の発明は、制御手段は、注湯電磁弁が開状態のとき、給湯用流量センサーと注湯用流量センサーの検知流量に基づいて前記注湯電磁弁の閉動作を行い、その後、前記給湯用流量センサーの検知電流に応じて前記注湯電磁弁の閉動作の確定を行うという一連の判定動作を所定回数行うようにしたことを特徴とするものであり、逆流防止装置からお湯の流出を確実に検知することが可能となる。
【００１８】
請求項６記載の発明は、制御手段は、注湯電磁弁が開状態のとき、給湯用流量センサーと注湯用流量センサーの検知流量に基づいて前記注湯電磁弁の閉動作を行い、その後、前記給湯用流量センサーの検知電流に応じて前記注湯電磁弁の閉動作の確定を行うという一連の判定動作を所定回数行った結果、異常と判定した場合は、以降の注湯電磁弁の開動作を停止させるとともに、異常表示をするようにしたことを特徴とするものであり、逆流防止装置からお湯の流出を確実に検知し、また自動お湯はり運転を停止するため逆流防止装置からのお湯の流出を防止し、オーバーフロー接続口から機外へ流出し続けることを防止して機器の使用者に異常の発生を通知することが可能となる。
【００１９】
請求項７記載の発明は、制御手段は、注湯電磁弁が開状態のとき、給湯用流量センサーが所定流量以上を検知し、かつ注湯用流量センサーが所定流量以下を検知したとき、前記注湯電磁弁を閉じて追い焚き回路への注湯動作を停止するとともに、再度、給湯用流量センサーの検知流量を確認し、検知流量が所定流量以上の場合、前記給湯用流量センサーの検知流量が所定流量以下になるまで、前記注湯電磁弁の開動作を行わない待機モードとしたことを特徴とするものであり、注湯用流量センサーが所定の流量以下になった原因は自動お湯はり運転と給湯とを同時に使用したためと判断して、注湯電磁弁の開動作を待機させることにより、給湯優先の運転となり給湯栓からの出湯量の減少による使用勝手の悪化を防止することが可能となる。
【００２０】
請求項８記載の発明は、待機モードにおいて、給湯用流量センサーの検知流量が所定流量以下になると、注湯電磁弁の開動作を開始するようにしたことを特徴とするものであり、給湯使用後、すぐに自動お湯はり運転を再開することが可能となる。
【実施例】
【００２１】
以下、本発明の実施例について図面を用いて説明する。なお、従来例と同一部品には同一番号を付して説明する。
【００２２】
（実施例１）
図１は、本発明の実施例１の給湯風呂装置の全体構成図である。
【００２３】
まず、給湯運転時には、給湯栓１を開くと給湯用流量センサー２が通水を検知した後、燃焼用ファン３が回転し、ガス元電磁弁４、ガス比例弁５が開き、バーナ６に着火し、給湯用熱交換器７で加熱される。
【００２４】
ここで、給湯用熱交換器７で加熱された湯は、給湯回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯接続口１２を経て給湯栓１より給湯される。
【００２５】
次に、追焚運転時には、循環ポンプ１３により浴槽１４の浴槽水１５が追い焚き回路の一方の経路である追い焚き戻り通路１６を経て流水検知部１７にて循環を検知されると、燃焼用ファン３が回転し、ガス元電磁弁４、ガス比例弁５が開き、バーナ６に着火し、追い焚き用熱交換器１８で加熱され追い焚き回路のもう一方の経路である追い焚き往き通路１９から追い焚き配管２０を経て浴槽１４へ循環される。
【００２６】
次に、自動お湯はり運転時には、給湯用熱交換器７で加熱された湯は、給湯回路８の途中で分岐された注湯回路８ａに設けられた注湯電磁弁２１が開くと、逆流防止装置２２、注湯用流量センサ２４、逆止弁２３を経て、追い焚き戻り通路１６および追い焚き往き通路１９から追い焚き配管２０を経て浴槽１４へ供給される。
【００２７】
ここでお湯はりの流量は、逆流防止装置２２と逆止弁２３との間に設けられた注湯用流量センサー２４により検知される構成となっている。また、逆流防止装置２２から流出するお湯または水は、オーバーフロー接続口２５から機外へ排水される構成となっている。
【００２８】
図２は上記逆流防止装置２２の内部構造を示す構造図であり、２６は圧力室で圧力導入管２７により入水側の給水元圧を導いている。２８はダイアフラム、２９は大気開放弁でゴム等の弁体３０を有している。３１は大気開放口、３２はスプリング、３３はお湯はり循環通路となる注湯回路である。
【００２９】
以上のように構成された給湯風呂装置について、以下その動作、作用を説明する。
【００３０】
通常、自動お湯はり運転時には、圧力導入管２７から入水側の給水元圧が圧力室２６にかかり、注湯回路であるお湯はり循環通路３３内との圧力差によりダイアフラム２８は、お湯はり循環通路３３側に移動するため大気開放弁２９は閉止の方向に押され弁体３０により大気開放口３１とお湯はり循環通路３３とは連通しない構成となっている。
【００３１】
ここで、追い焚き配管２０が凍結して通水できない状態になると、自動お湯はり運転時には、給水元圧が逆流防止装置２２の圧力室２６とお湯はり循環通路３３とにかかることとなり、同圧となるため圧力差がなくなりスプリング３２により大気開放弁２９は大気開放の状態となる。
【００３２】
大気開放弁２９が大気開放の状態となると、お湯はり循環通路３３と大気開放口３１とが連通するため、自動お湯はり運転時、給湯回路８から供給されるお湯が大気開放口３１を経てオーバーフロー接続口２５から機外へ流出することとなる。
【００３３】
そこで、注湯電磁弁２１が開状態となっている自動お湯はり運転時に、給湯用流量センサー２が所定流量以上を検知し、かつ逆流防止装置２２の下流に設けられた注湯用流量センサー２４が所定流量以下を検知した場合には、給湯回路８から供給された湯は逆流防止装置２２の大気開放口３１から流出していることが考えられ、制御手段３４は追い焚き配管２０が凍結したと判定して注湯電磁弁２１を閉じるように制御し、自動お湯はり運転を停止する。よって、追い焚き配管２０が凍結した場合に給湯回路８からの湯を逆流防止装置２２から流出し続けるという不具合は解消される。
【００３４】
このように注湯電磁弁２１が開状態のとき、すなわち注湯動作時に給湯用流量センサーと注湯用流量センサーが検知する流量に基づいて、追い焚き配管２０が凍結しているか否かを判定し、凍結していると判定したとき、前記注湯電磁弁の閉動作を行い、前記追い焚き回路への注湯動作を停止するようにしたものである。
【００３５】
（実施例２）
実施例２は、上記実施例１において、追い焚き配管２０が凍結していると判定したときの注湯電磁弁の閉動作を確定する制御に関するもので、注湯電磁弁２１が開状態で給湯用流量センサー２が所定流量以上を検知し、かつ注湯用流量センサー２３が所定流量以下を検知した場合に注湯電磁弁２１を閉じて自動湯張り運転を停止状態とするが、このとき、制御手段３４は再度、給湯回路８に設けられた総流量を検知する給湯用流量センサー２により給湯回路８を流れる流量を測定し、該流量が所定流量以下の場合には、カラン１等での使用がなく、上記給湯用流量センサー２で検出した流量と注湯用流量センサー２３で検出した流量の差は逆流防止装置２２が作動しているためと確定して、以降、注湯電磁弁２１の開動作を停止するようにしている。
【００３６】
この確定動作で、より正確に、逆流防止装置２２の作動時における自動湯張り停止制御を行うことができ、追い焚き配管２０が凍結した場合等において給湯回路８からの湯を逆流防止装置２２から流出し続けるという不具合を解消しつつ、カラン１等で湯を使用している場合における適切な対応が可能となる。
【００３７】
また、上記確定動作により自動湯張り運転が停止状態となったときは、遠隔操作用リモコン１０で異常報知をすることで、自動お湯はり運転時にオーバーフロー接続口２５からお湯が機外へ流出し続けることが防止でき、かつ使用者に機器の異常発生を早期に報知することが可能となる。
【００３８】
（実施例３）
実施例３は、上記実施例１と同様、注湯電磁弁２１が開状態のとき、給湯用流量センサー２と注湯用流量センサー２４の検知流量に基づいて前記注湯電磁弁２１の閉動作を行い、その後、前記給湯用流量センサー２の検知電流に応じて前記注湯電磁弁２１の閉動作の確定を行うという一連の判定動作を所定回数行うことで、追い焚き配管２０の凍結による逆流防止装置２２からの湯水流出を防止する注湯電磁弁２１の閉動作の精度をより確実にしたものであり、注湯電磁弁２１が開の状態で給湯用流量センサー２が所定の流量以上で、かつ注湯用流量センサー２３が所定の流量以下の場合に注湯電磁弁２１を閉じたとき、給湯回路８に設けられた総流量を検知する給湯用流量センサー２の検知流量が所定の流量以下の場合には、所定回数、注湯電磁弁２１を開動作させ注湯用流量センサー２３の検知流量を再確認するようにしており、逆流防止装置２２からのお湯の流出を確実に検知することが可能となる。
【００３９】
また、逆流防止装置２２からのお湯の流出を確実に検知して注湯電磁弁２１の開動作を停止、すなわち自動お湯はり運転を停止させた場合は、遠隔操作用リモコン１０により異常報知するようにしているため、自動お湯はり運転時にオーバーフロー接続口２５からお湯が機外へ流出し続けることを防止して、使用者に機器の異常発生を早期に通知することが可能となる。
【００４０】
（実施例４）
実施例４は、上記実施例１で、注湯電磁弁２１が開の状態で給湯用流量センサー２が所定の流量以上で、かつ注湯用流量センサー２３が所定の流量以下の場合に注湯電磁弁２１を閉じたとき、給湯回路８に設けられた総流量を検知する給湯用流量センサー２の検知流量が所定の流量以上の場合には、注湯用流量センサー２４が所定の流量以下になった原因は、自動お湯はり運転とカラン給湯を同時に使用したためと判断して、注湯電磁弁２１の開動作を待機させる待機モードを備えているため、給湯優先の運転となり給湯栓１からの出湯量の減少による使い勝手の悪化を防止することが可能となる。
【００４１】
（実施例５）
実施例５は、上記実施例４で、給湯用流量センサー２が所定流量以下を検知すると、注湯電磁弁２１を開けるようにしたもので、給湯使用後、すぐに自動お湯はり運転を再開することが可能となる。
【図面の簡単な説明】
【００４２】
【図１】本発明の一実施例における給湯風呂装置の全体構成図
【図２】同給湯風呂装置における逆流防止装置の構造図
【図３】従来の給湯風呂装置を示す構成図
【符号の説明】
【００４３】
２  給湯用流量センサー
７  給湯用熱交換器
８  給湯回路
１６  追い焚き往き管（追い焚き回路）
１８  追い焚き熱交換器
１９  追い焚き戻り管（追い焚き回路）
２１  注湯電磁弁 
２２  逆流防止装置
２３  逆止弁
２４  注湯用流量センサー
３３  お湯はり循環通路（注湯回路）
３４  制御手段
【図１】
2005076945.tif 000003
【図２】
2005076945.tif 000004
【図３】
2005076945.tif 000005